(57)【要約】【課題】  各機器からの室親機への接続線の接続及び電源コードの接続を容易に実施可能とすると共に、ＡＣ即結端子に別途カバーを必要としない。【解決手段】  居室親機のハウジング１０の背面に、壁面に設けたスイッチボックスに収容する膨出部１１を形成し、その一部を端子台１３として取り外し可能に形成した。ＡＣ即結端子１４を端子台１３で閉塞される膨出部１１内に配置し、接続した電源コードを案内するガイド溝２７を端子台１３に隣接する膨出部背面１１ａに形成した。端子台１３に膨出部背部１１ａに係合する爪片１８を設け、対応する膨出部１１に爪受け１９を設けて、双方を係合させた後、回動操作して装着するよう端子台背部に凹部２３ａ、膨出部の切り欠き部１１ｂに凸部２３ｂを設けた。【選択図】  図３
2006157175.tif 000002
【特許請求の範囲】
【請求項１】
来訪者が居住者を呼び出すための玄関子機と、前記玄関子機からの呼び出しに応答するための居室親機とを有するインターホン装置において、
前記居室親機のハウジング背面に、商用電源に接続するためのＡＣ即結端子と、前記玄関子機等から伸びた接続線を接続するための着脱自在な端子台とを備え、前記ＡＣ即結端子を、前記端子台で覆われる部位に配置したことを特徴とするインターホン装置。
【請求項２】
前記居室親機は、壁面に埋設されたスイッチボックスを覆うように設置されるものであって、
前記端子台は、前記スイッチボックス内部の電源コードと接続線との配線を分離するために後方に突設した仕切り板を有することを特徴とする請求項１記載のインターホン装置。
【請求項３】
前記仕切り板の基部には、前記端子台から分離し易くするための第１の薄肉部が設けられて成ることを特徴とする請求項２記載のインターホン装置。
【請求項４】
前記仕切り板は、前記スイッチボックスの深さに合わせて突出量を変更するための第２の薄肉部を途中に設けてなることを特徴とする請求項２又は３に記載のインターホン装置。
【請求項５】
ハウジング背面には、前記ＡＣ即結端子に接続する電源コードを案内するガイド溝が設けられ、ハウジングに装着した前記端子台に対してその側方から電源コードを引き出しできることを特徴とする請求項１乃至４の何れかに記載のインターホン装置。
【請求項６】
前記端子台の一端と前記ハウジングとは、爪片及び前記爪片の厚みよりも広い開口部を有する爪受けから成る係止機構を有し、前記係止機構を係止した後、前記端子台を回動操作して装着操作が可能なことを特徴とする請求項１乃至５の何れかに記載のインターホン装置。
【請求項７】
前記ハウジングは、前記端子台の回動装着操作を支援する回動支援構造を有することを特徴とする請求項６記載のインターホン装置。
【請求項８】
前記回動支援構造が、前記端子台と前記ハウジングとの間で嵌合する凹部及び凸部で構成されることを特徴とする請求項７記載のインターホン装置。
【発明の詳細な説明】
【技術分野】
【０００１】
本発明はインターホン装置に関し、特に分離可能な端子台を備えたインターホン装置に関する。
【背景技術】
【０００２】
インターホン装置は、居住者を呼び出すための玄関子機と玄関子機からの呼び出しに応答するための居室親機を備え、近年のインターホン装置は居室親機に更にガス漏れ警報機等が接続される場合が多い。そして、このように居室親機に接続されている機器は、通常居室親機と通信を実施するための接続線を介して接続されている。
そのため、居室親機は接続線を接続する端子台以外に電源を接続する電源端子を備えていた（例えば、特許文献１参照）。また、この場合、電源端子が接続操作が容易なＡＣ即結端子の場合、即結端子を保護するために、電源端子に別途カバーが設けられていた。
一方、玄関子機に設けられた端子台には、接続線の接続を容易にするために玄関子機ハウジングから分離可能としたものがあった（例えば、特許文献２参照）。
【特許文献１】特開２００４−１２９０１４号公報
【特許文献２】特開２００３−２５９０１２号公報
【発明の開示】
【発明が解決しようとする課題】
【０００３】
このように、従来のインターホン装置では、居室親機の端子台がハウジングに一体に形成されているため、各機器からの接続線の接続作業が面倒であった。また、電源端子がＡＣ即結端子の場合、電源コード接続の作業性は改善されるが、安全性の観点からカバーが必要となり、部品点数が増加した。
【０００４】
そこで、本発明はこのような問題点に鑑み、各機器から居室親機への接続線の接続及び電源コードの接続を容易に実施可能とすると共に、ＡＣ即結端子に別途カバーを設ける必要がないインターホン装置を提供することを目的とする。
【課題を解決するための手段】
【０００５】
上記課題を解決する為に、請求項１に記載の発明は、来訪者が居住者を呼び出すための玄関子機と、玄関子機からの呼び出しに応答するための居室親機とを有するインターホン装置において、居室親機のハウジング背面に、商用電源に接続するためのＡＣ即結端子と、玄関子機等から伸びた接続線を接続するための着脱自在な端子台とを備え、ＡＣ即結端子を、端子台で覆われる部位に配置したことを特徴とする。
この構成により、居室親機に対して接続線の接続がし易く成り作業性を大幅に改善できる。また、ＡＣ即結端子に別途保護カバーを設ける必要がなくなる。
【０００６】
請求項２の発明は、請求項１に記載の発明において、居室親機は、壁面に埋設されたスイッチボックスを覆うように設置されるものであって、端子台は、スイッチボックス内部の電源コードと接続線との配線を分離するために後方に突設した仕切り板を有することを特徴とする。
この構成により、スイッチボックスに仕切り板を別途設ける必要がなくなる。
【０００７】
請求項３の発明は、請求項２に記載の発明において、仕切り板の基部には、端子台から分離し易くするための第１の薄肉部が設けられて成ることを特徴とする。
この構成により、仕切り板が既に設置されている場合、或いは必要ない場合は、端子台の仕切り板をニッパー等を用いて容易に除去でき、仕切り板のない端子台を別途用意する必要がない。
【０００８】
請求項４の発明は、請求項２又は３に記載の発明において、仕切り板は、スイッチボックスの深さに合わせて突出量を変更するための第２の薄肉部を途中に設けてなることを特徴とする。
この構成により、端子台は異なる深さのスイッチボックスに対しても容易に対応できる。
【０００９】
請求項５の発明は、請求項１乃至４の何れかに記載の発明において、ハウジング背面には、ＡＣ即結端子に接続する電源コードを案内するガイド溝が設けられ、ハウジングに装着した端子台に対してその側方から電源コードを引き出しできることを特徴とする。
この構成により、接続した電源コードは端子台側方からスムーズに引き出しでき、端子台装着操作の際、電源コードにストレスが加わるようなことが無い。
【００１０】
請求項６の発明は、請求項１乃至５の何れかに記載の発明において、端子台の一端とハウジングとは、爪片及び爪片の厚みよりも広い開口部を有する爪受けから成る係止機構を有し、係止機構を係止した後、端子台を回動操作して装着操作が可能なことを特徴とする。
この構成により、一端を係止して回動操作できるので、装着操作をスムーズに実施できる。  
【００１１】
請求項７の発明は、請求項６に記載の発明において、ハウジングは、端子台の回動装着操作を支援する回動支援構造を有することを特徴とする。
この構成により、回動操作による装着が促されるので、固定するためのビスが端子台から突出していても、装着操作の邪魔になることがない。また、端子台を装着する際、作業者は無理に側方からスライド操作して端子台とケース内部配線との接続部やＡＣ即結端子を損傷するようなことがなくなる。
【００１２】
請求項８の発明は、請求項７に記載の発明において、回動支援構造が、端子台とハウジングとの間で嵌合する凹部及び凸部で構成されることを特徴とする。
この構成により、端子台の回動操作を支援する構造を簡単な形状で作成できる。
【発明の効果】
【００１３】
このように、本発明によれば、居室親機に対して接続線の接続がし易くなるし、ＡＣ即結端子に別途保護カバーを設ける必要がなくなるので、作業性を大幅に改善できる。
【発明を実施するための最良の形態】
【００１４】
以下、本発明を具体化した実施の形態を、図面に基づいて詳細に説明する。図１は本発明に係るインターホン装置の一例を示す構成図であり、１は居住者を呼び出すために玄関に設置される玄関子機、２は玄関子機１からの呼び出しに応答するための居室親機、３ａは電気錠３を内蔵した玄関ドア、４は電気錠３を制御する電気錠コントローラ、５は玄関にて電気錠３を解錠する暗証解錠装置、６はガス漏れ警報機等のセキュリティ機器を示している。そして、図示するように、居室親機２に２台の玄関子機１と、電気錠コントローラ４と、セキュリティー機器６が夫々接続線８で接続され、電気錠コントローラ４に電気錠３及び暗証解錠装置５が接続線８で接続されている。
【００１５】
上記構成のインターホン装置の基本動作を説明する。玄関子機１の呼出ボタン１ａが押されたら、居室親機２にて報知音が鳴動すると同時にモニタ２ａに玄関子機１のカメラ１ｂが撮影した来訪者の映像が出画される。そして、居室親機２の応答ボタン２ｂが押されたら、居室親機２と玄関子機１との間で、即ち居住者と来訪者との間で通話が可能となる。そして、来訪者を受け入れる場合は、居室親機２の解錠ボタン２ｃを押すことで、電気錠コントローラ４が電気錠３を解錠操作する。
一方、帰宅した居住者に対しては、暗証解錠装置５に帰宅者によって予め設定してある暗証番号が入力されると、電気錠コントローラ４がそれを検知し、電気錠３を解錠操作する。
【００１６】
図２は上記居室親機２の背面斜視図を示し、この図に示すように居室親機２を形成するハウジング１０は背面に長方形状の膨出部１１を有し、この膨出部１１を壁面に埋設されたスイッチボックス１２（図５に示す）に収容させることで居室親機２を壁面に設置する構成となっている。この膨出部１１には、玄関子機１や電気錠コントローラ４等から配設された接続線８を接続する端子台１３、商用電源を接続するＡＣ即結端子１４（図３に示す）が設けられ、端子台１３は取り外し可能となっている。
【００１７】
図３は端子台１３を分離した状態を示し、端子台１３は図３に示すように膨出部１１上部を切り欠くように形成され、接続線８を接続する複数の即結端子１５を備えている。また、ＡＣ即結端子１４は端子台１３を装着する切り欠き部１６に配置され、端子台１３の装着によりＡＣ即結端子１４上部は閉塞されるよう構成されている。更に、図４は端子台１３の拡大図を示している。但し、即結端子１５を取り外した状態を示し、１３ａは即結端子装着孔である。端子台１３は略四角形に形成され、四方の側部のうち、膨出部背面１１ａに当接する下部は開放され、他の側部は側板を有してハウジング１０に装着した際に切り欠き部１６を閉塞するよう形成されている。
そして、開放された下部には、膨出部背面１１ａに係止する一対の爪片１８が突設され、この爪片１８に対応する膨出部背面１１ａの切り欠き端部には、爪片１８を挿入係止する爪受け１９が形成され係止機構を構成している。この爪受け１９は爪片１８の厚みに対して十分開口部が広く形成され、爪片１８をハウジング後方から斜めの角度で挿入可能となっている。
【００１８】
一方、端子台１３の上部側面にはハウジング１０にビス止めする為のビス挿通孔２０が形成され、対応するハウジング１０の切り欠き枠部１１ｂにはネジ孔２２が形成されている。また、端子台１３の左右側面の背部には、ハウジング１０の切り欠き枠部１１ｂに係合する台形形状の凹部２３ａが一対形成され、対応する切り欠き枠部１１ｂの左右辺には、台形形状の凸部２３ｂが一対形成されている。この凹部２３ａと凸部２３ｂとは、端子台１３が装着された時に初めて噛み合うように形成されている。そのため、それ以外では噛み合うことがなく、端子台１３を切り欠き枠部１１ｂ上でスライド操作できないように設けられている。
尚、ビス挿通孔２０は、一部ネジ溝が切られており、挿通したビス２１を保持するよう形成されている。
【００１９】
更に、ハウジング背面方向となる端子台１３前面には、膨出部１１を収容するスイッチボックス１２の内部空間を上下に分離するための仕切り板２４が突設されている。この仕切り板２４の立ち上がり部には、スリット状に開口部２６ａが形成されて第１の薄肉部が設けられているし、中間部位には溝２６ｂが形成されて第２の薄肉部が設けられている。仕切り板２４は、この薄肉部でニッパー等で容易に切断できるよう形成されている。
【００２０】
一方、端子台１３に隣接する膨出部１１の背面には、ＡＣ即結端子１４に向けてＡＣ即結端子１４に接続する電源コードを案内するガイド溝２７が凹設され、切り欠き部１６内に設けられたＡＣ即結端子１４に接続された電源コードは、端子台１３の側方（下方）から膨出部背面１１ａ上に引き出すことができるようになっている。
【００２１】
このように形成された端子台１３の着脱操作、及び接続線８や電源コード等の接続操作は次のように成される。まず、端子台１３はハウジング１０から分離され、ビス挿通孔２０にはビス２１が挿通された状態にある。この状態で上記機器に接続された接続線８を接続する。接続線８は、各機器から壁内に配設されてスイッチボックス１２から引き出され、端子台１３に設けられている即結端子１５に内部芯線を挿入するだけで容易に接続される。
また、膨出部１１内に設けられたＡＣ即結端子１４に、同様にスイッチボックス１２から引き出された電源コードを接続する。この場合も内部芯線を挿入操作するだけで容易に接続される。
【００２２】
接続線８及び電源コードを接続したら、端子台１３をハウジング１０の切り欠き部１６に装着する。まず、端子台１３の爪片１８をハウジング側の爪受け１９に挿入して一端を係止する。この操作は、凹部２３ａと凸部２３ｂを設けたことで、上方からスライド操作して行うことができず、斜め後方から挿入操作が行われ、挿入後回動操作して凹部２３ａと凸部２３ｂを合致させて装着操作する。このとき、接続されている電源コードは、端子台１３の端部に係合するが、端子台１３の斜め後方からの装着操作により、電源コードを上から抑えるように作用し、折れ曲がった電源コードはガイド溝２７に誘導される。このように、凹部２３ａと凸部２３ｂは、端子台１３の回動操作を支援する回動支援機構となっている。
こうして端子台１３を切り欠き部１６に合致させたら、端子台１３に備え付けられているビス２１をビス止めして端子台１３の装着は完了する。この時、取り付けた端子台１３により、ＡＣ即結端子１４は端子台１３で覆われて保護された状態となる。
【００２３】
図５は、こうして端子台１３を取り付けた膨出部１１を、スイッチボックスに収容してハウジング１０を壁面に取り付けた状態の側面説明図を示している。図５において、１２がスイッチボックス、２９は電源コードであり、スイッチボックス１２は断面で示してある。このように、膨出部１１がスイッチボックス１２に挿入されて居室親機２は壁面に取り付けられる。
また、このとき端子台１３に形成された仕切り板２４により、スイッチボックス１２内は電源コード２９の配設空間と接続線８の配設空間に分離され、双方がスイッチボックス１２内で接触するようなことがない。
尚、予めスイッチボックス１２内に別途仕切り板が設置されている場合には、端子台１３の仕切り板２４が不要となるので、施工者がニッパー等の工具を用いて分離すれば良い。この場合、仕切り板２４と端子台１３との間に設けた開口部２６ａを切断すれば良く、分離しやすい。また、スイッチボックス１２が浅い構造の場合、２段構造になっている仕切り板２４の溝２６ｂに沿って切断することで短くでき、容易に対応できるため、仕切り板を持たない、或いは仕切り板の短い端子台を別途用意する必要がない。
【００２４】
このように、居室親機に着脱自在な端子台を設けることで、接続線の接続がし易く成り作業性を大幅に改善できる。また、端子台がＡＣ即結端子を覆うのでＡＣ即結端子に別途保護カバーを設ける必要がないし、ＡＣ即結端子と端子台とは近接して配置されるのでハウジング内の回路基板を小さくすることも可能となる。
また、ガイド溝により、接続した電源コードは端子台側方からスムーズに引き出しでき、端子台装着操作の際、電源コードにストレスが加わるようなことが無いし、端子台に仕切り板が設けられているので、スイッチボックスに仕切り板を別途設ける必要がなくなる。
更に、回動支援構造を設けたことで、回動操作による端子台の装着が促されるので、端子台を固定するためのビスが端子台から突出していても、装着操作の邪魔になることがない。また、端子台を装着する際、作業者は無理に上方からスライド操作して、端子台とケース内部配線との接続部やＡＣ即結端子を損傷するようなことがなくなる。
また、回動支援構造を凹部と凸部で形成することで、簡単な形状で作製できるし、凸部と凹部にすることで、装着後には端子台の上方への移動を防ぎ、装着した端子台を保持するように働くので作業し易い。
【００２５】
尚、上記実施形態では、ハウジング背部に設けた膨出部は縦長に形成され、その上部に端子台が配置されているが、使用するスイッチボックスの形状大きさにより膨出部の形状は変更されるし、端子台は膨出部の下方、或いは左右の側方に設けても良い。
また、ハウジング背面にガイド溝を設けて電源コードを引き出しているが、逆に端子台に電源コードを引き出すためのガイド突起を設けて引き出しても電源コードを良好に引き出すには有効である。
また、回動支援構造は、ハウジングに突部を設けて端子台に凹部を設けて形成しているが、凹凸を逆にしても良い。
【図面の簡単な説明】
【００２６】
【図１】本発明に係るインターホン装置の実施形態の一例を示す構成図である。
【図２】図１の居室親機の背面斜視図である。
【図３】図２において端子台を外した状態を示している。
【図４】端子台の拡大図である。
【図５】居室親機を壁面に取り付けた状態を示す断面説明図である。
【符号の説明】
【００２７】
１・・玄関子機、２・・居室親機、８・・接続線、１０・・ハウジング、１１・・膨出部、１２・・スイッチボックス、１３・・端子台、１４・・ＡＣ即結端子、１５・・即結端子、１６・・切り欠き部、１８・・爪片、１９・・爪受け、２３ａ・・凹部、２３ｂ・・凸部、２４・・仕切り板、２６ａ・・開口部（第１の薄肉部）、２６ｂ・・溝（第２の薄肉部）、２７・・ガイド溝、２９・・電源コード。
【図１】
2006157175.tif 000003
【図２】
2006157175.tif 000004
【図３】
2006157175.tif 000005
【図４】
2006157175.tif 000006
【図５】
2006157175.tif 000007